(57)【要約】【課題】ユーザの様々な要求に応じ、水の温度及び圧力の調整、さらには洗浄箇所の調整を行う調整可能な洗浄装置を提供する。【解決手段】本体１１０、第１の制御バルブ１２０、第２の制御バルブ１３０及び２つの洗浄ユニット１４０を備えている。本体１１０は、第１の空間１１１、第１の空間１１１に連通された第２の空間１１２、冷水孔１１４、熱水孔１１５、第１の出水孔１１６及び第２の出水孔１１７を有する。第１の制御バルブ１２０は、第１の空間１１１中に固着され、つまみとつまみに接続されたバルブコアとを有し、冷水孔１１４と熱水孔１１５との間のフローを制御する。第２の制御バルブ１３０は、第２の空間１１２中に固着され、第１の出水孔１１６及び第２の出水孔１１７の開閉を制御する。洗浄ユニット１４０の各々は、第１の出水孔１１６及び第２の出水孔１１７に接続され、導管１４１と導管１４１に接続された噴射チューブ１４２とを有する。【選択図】図２
0003132424.tif 000002
【実用新案登録請求の範囲】
【請求項１】
本体、第１の制御バルブ、第２の制御バルブ及び２つの洗浄ユニットを備え、便座装置に装着された調整可能な洗浄装置であって、
前記本体は、第１の空間、該第１の空間に連通された第２の空間、冷水孔、熱水孔、第１の出水孔及び第２の出水孔を有し、前記冷水孔及び前記熱水孔は、前記第１の空間に連通され、前記第１の出水孔及び前記第２の出水孔は、前記第２の空間に連通され、
前記第１の制御バルブは、前記第１の空間中に固着され、つまみと該つまみに接続されたバルブコアとを有し、前記冷水孔と前記熱水孔との間のフローを制御し、
前記第２の制御バルブは、前記第２の空間中に固着され、前記第１の出水孔及び前記第２の出水孔の開閉を制御し、
前記洗浄ユニットの各々は、前記第１の出水孔及び前記第２の出水孔に接続され、導管と該導管に接続された噴射チューブとを有し、前記便座装置まで延伸して肛門を洗浄することを特徴とする調整可能な洗浄装置。
【請求項２】
前記第１の制御バルブは、温度表示リングを有することを特徴とする請求項１に記載の調整可能な洗浄装置。
【請求項３】
前記第２の制御バルブは、
軸方向に移動可能なシャフトと、
前記シャフトに固着されて前記第２の空間の外に設けられた引っ張りブロックと、
前記シャフトの中段に周設されて前記第１の出水孔に対応した上ブロッキングリングと、
前記シャフトの下段に周設されて前記第２の出水孔に対応した下ブロッキングリングと、
前記上ブロッキングリング上に配置されて前記第２の空間の上面に当接された弾性部材と、
を有することを特徴とする請求項１に記載の調整可能な洗浄装置。
【請求項４】
前記洗浄ユニットの各々は、長さが異なることを特徴とする請求項１に記載の調整可能な洗浄装置。
【請求項５】
前記洗浄ユニットの前記噴射チューブは、
前記導管の端部に接続された不動部と、
前記不動部に配置されて軸方向に移動可能な可動部と、
前記可動部に接続されて複数の孔を有するノズルと、
前記可動部に周設されたばねと、
を有することを特徴とする請求項１に記載の調整可能な洗浄装置。
【請求項６】
前記便座装置と前記便座装置の便座との間に配置された定位シートをさらに備えることを特徴とする請求項１に記載の調整可能な洗浄装置。
【請求項７】
本体、温度制御バルブ、切換バルブ及び２つの洗浄ユニットを備え、便座装置に装着された調整可能な洗浄装置であって、
前記本体は、第１の空間、該第１の空間に連通された第２の空間、冷水孔、熱水孔、第１の出水孔及び第２の出水孔を有し、前記冷水孔及び前記熱水孔は、前記第１の空間に連通され、前記第１の出水孔及び前記第２の出水孔は、前記第２の空間に連通され、
前記温度制御バルブは、前記第１の空間中に固着されて水温を制御し、
前記切換バルブは、前記第２の空間中に固着され、フローを制御して水のフロー方向を変えるバルブコアを有し、
前記洗浄ユニットの各々は、前記第１の出水孔及び前記第２の出水孔に接続され、導管と該導管に接続された噴射チューブとを有し、前記便座装置まで延伸して肛門を洗浄することを特徴とする調整可能な洗浄装置。
【請求項８】
前記本体は、前記冷水孔及び前記熱水孔の各々に配置された２つの濾過部材を有することを特徴とする請求項７に記載の調整可能な洗浄装置。
【請求項９】
前記温度制御バルブは、
壁を有する中空円筒状部材と、
前記中空円筒状部材の前記壁により形成された冷水入口と、
前記中空円筒状部材の前記壁により形成された熱水入口と、
前記中空円筒状部材の前記壁により形成された出水口と、
前記中空円筒状部材中に枢着式に配置された調整ロッドと、
前記調整ロッドに周設されたバイアスばねと、
前記冷水入口及び前記熱水入口に対応したバルブと、
前記バルブに当接された端部を有する調整部材と、
を有することを特徴とする請求項７に記載の調整可能な洗浄装置。
【請求項１０】
本体、少なくとも１つの制御バルブ及び洗浄ユニットを備え、便座装置に装着された調整可能な洗浄装置であって、
前記本体は、冷水孔、熱水孔及び出水孔を有し、
前記制御バルブは、前記本体中に設けられ、開閉を制御して前記冷水孔及び前記熱水孔のフローを調整するバルブコアを有し、
前記洗浄ユニットは、前記出水孔に接続された導管と、該導管に接続され、前記便座装置まで延伸して肛門を洗浄する噴射チューブと、を有することを特徴とする調整可能な洗浄装置。
【考案の詳細な説明】
【技術分野】
【０００１】
本考案は、トイレの衛生設備に関し、特に便座装置に設ける調整可能な洗浄装置に関する。
【背景技術】
【０００２】
現在、ユーザの肛門洗浄を行ってユーザの利便性及び衛生的要求を満たす、便座装置の一側に設けられた洗浄装置がある。そして、これは洗浄便座とも言われる。
【０００３】
従来の洗浄便座は、機械式と電子式の２種類があった。機械式の洗浄装置は、管路により噴射チューブへ水を導いてユーザの肛門を洗浄する。
【０００４】
しかし、機械式の洗浄装置は、冷水洗浄機能しかなく、水温や水圧を調整することができなかった。その上、機械式の洗浄装置は、性別に応じて洗浄箇所を調整することができないため、様々なユーザの要求に応じることができなかった。
【０００５】
電子式の洗浄装置は、制御装置を電子回路により代替し、水を加熱するための加熱ユニットが加えられている。タッチパネル式マイクロコンピュータは、電子回路及び加熱ユニットの両方を制御することができる。この電子式洗浄装置は、水温を調整することができるが、費用が高い上に、加熱ユニットの消費電力も多かった。その上、漏電が発生する虞があるため、消費者の購買意欲は低かった。
【考案の開示】
【考案が解決しようとする課題】
【０００６】
本考案の目的は、ユーザの様々な要求に応じ、水の温度及び圧力の調整、さらには洗浄箇所の調整を行うことのできる調整可能な洗浄装置を提供することにある。
本考案のもう一つの目的は、製造コストが少なくて水温が制御可能である上、消費電力が少なくて漏電を防止する調整可能な洗浄装置を提供することにある。
【課題を解決するための手段】
【０００７】
本考案の調整可能な洗浄装置は、本体、第１の制御バルブ、第２の制御バルブ及び２つの洗浄ユニットを備え、便座装置に装着された調整可能な洗浄装置であって、前記本体は、第１の空間、該第１の空間に連通された第２の空間、冷水孔、熱水孔、第１の出水孔及び第２の出水孔を有し、前記冷水孔及び前記熱水孔は、前記第１の空間に連通され、前記第１の出水孔及び前記第２の出水孔は、前記第２の空間に連通され、前記第１の制御バルブは、前記第１の空間中に固着され、つまみと該つまみに接続されたバルブコアとを有し、前記冷水孔と前記熱水孔との間のフローを制御し、前記第２の制御バルブは、前記第２の空間中に固着され、前記第１の出水孔及び前記第２の出水孔の開閉を制御し、前記洗浄ユニットの各々は、前記第１の出水孔及び前記第２の出水孔に接続され、導管と該導管に接続された噴射チューブとを有し、前記便座装置まで延伸して肛門を洗浄することを特徴とする。
【０００８】
本考案の調整可能な洗浄装置は、本体、温度制御バルブ、切換バルブ及び２つの洗浄ユニットを備え、便座装置に装着された調整可能な洗浄装置であって、前記本体は、第１の空間、該第１の空間に連通された第２の空間、冷水孔、熱水孔、第１の出水孔及び第２の出水孔を有し、前記冷水孔及び前記熱水孔は、前記第１の空間に連通され、前記第１の出水孔及び前記第２の出水孔は、前記第２の空間に連通され、前記温度制御バルブは、前記第１の空間中に固着されて水温を制御し、前記切換バルブは、前記第２の空間中に固着され、フローを制御して水のフロー方向を変えるバルブコアを有し、前記洗浄ユニットの各々は、前記第１の出水孔及び前記第２の出水孔に接続され、導管と該導管に接続された噴射チューブとを有し、前記便座装置まで延伸して肛門を洗浄することを特徴とする。
【０００９】
本考案の調整可能な洗浄装置は、本体、少なくとも１つの制御バルブ及び洗浄ユニットを備え、便座装置に装着された調整可能な洗浄装置であって、前記本体は、冷水孔、熱水孔及び出水孔を有し、前記制御バルブは、前記本体中に設けられ、開閉を制御して前記冷水孔及び前記熱水孔のフローを調整するバルブコアを有し、前記洗浄ユニットは、前記出水孔に接続された導管と、前記導管に接続され、前記便座装置まで延伸して肛門を洗浄する噴射チューブと、を有することを特徴とする。
【考案の効果】
【００１０】
本考案の調整可能な洗浄装置は、以下の効果を有する。
（１）水温及び洗浄箇所の各々は、個別のステップにより調整することができる。つまり、第１ステップにおいて、第１の空間中の混合水は、第１の制御バルブ及び温度制御バルブを介して温度を制御することができる。第２ステップでは、性別の違いに応じ、第２の制御バルブ及び切換バルブを介し、長軸洗浄ユニット及び短軸洗浄ユニットを駆動することができる。
（２）第１の制御バルブにより水圧を制御することにより、噴射チューブの可動部の突出長さを変えることができる。
（３）洗浄装置が機械部材により製造されているため、製造コストを低減させ、漏電の発生を防ぐことができる。そのため、消費電力を減らし、製品の競争力を高めることができる。その上、洗浄装置は、様々な便座装置に装着して組み合わせることが簡便である。
【考案を実施するための最良の形態】
【００１１】
以下、本考案の実施の形態について図面を参照して詳細に説明する。
【００１２】
図１及び図２を参照する。図１は、本考案の実施の形態１に係る洗浄装置の使用状態を示す斜視図である。図２は、実施の形態１に係る洗浄装置を示す断面図である。
【００１３】
人体を洗浄する洗浄装置１００は、便座装置２００の一側に固着され、本体１１０、第１の制御バルブ１２０、第２の制御バルブ１３０及び２つの洗浄ユニット１４０を含む。
【００１４】
実施の形態１において、本体１１０は、便座装置２００の便座２１０に固着されている。本体１１０は、第１の空間１１１、第２の空間１１２、冷水孔１１４、熱水孔１１５、第１の出水孔１１６及び第２の出水孔１１７を備えている。第１の空間１１１は中空状であり、第２の空間１１２は、導水路１１３を介して第１の空間１１１に連通されている。冷水孔１１４及び熱水孔１１５は、第１の空間１１１に連通され、冷水管Ａ及び熱水管Ｂにそれぞれ接続されている。第１の出水孔１１６及び第２の出水孔１１７は、第２の空間１１２に連通されている。
【００１５】
第１の制御バルブ１２０は、第１の空間１１１中に固着され、回転つまみ１２１、セラミック製バルブコア１２２及び温度表示リング１２３を備えている。セラミック製バルブコア１２２は、つまみ１２１に接続され、様々な温度目盛を有する温度表示リング１２３によりその上が覆われている。バルブコア１２２の内部構造は、単一レバーのミキサのセラミック製バルブコアに似ている。そして、このバルブコア１２２のバルブロッドを回転させると、フロー、温度、及び冷水孔１１４と熱水孔１１５との間の開閉を制御することができる。
【００１６】
第２の制御バルブ１３０は、第２の空間１１２中に固着され、シャフト１３１、引っ張りブロック１３２、上ブロッキングリング１３３、下ブロッキングリング１３４及び弾性部材１３５を備えている。このシャフト１３１は、軸方向に移動可能である。引っ張りブロック１３２は、シャフト１３１に固着され、第２の空間１１２の外に設けられている。上ブロッキングリング１３３は、シャフト１３１の中段に周設され、第１の出水孔１１６に対応した位置に配置されている。下ブロッキングリング１３４は、シャフト１３１の下段に周設され、第２の出水孔１１７に対応した位置に配置されている。弾性部材１３５は、上ブロッキングリング１３３上に配置され、第２の空間１１２の上面に当接されているバイアスばねである。一般に、上ブロッキングリング１３３は、第１の出水孔１１６を密封し、下ブロッキングリング１３４と第２の出水孔１１７とは位置がずれている。
【００１７】
図１から図３を参照する。図３は、図１の洗浄ユニットの洗浄チューブを示す部分断面図である。洗浄ユニット１４０は、長さが異なり、本体１１０の第１の出水孔１１６及び第２の出水孔１１７から便座装置２００まで延伸されている。洗浄ユニット１４０の各々は、導管１４１と導管１４１に固着された噴射チューブ１４２とを含む。噴射チューブ１４２は、不動部１４２１、可動部１４２２、ノズル１４２３及びばね１４２４を含む。不動部１４２１は、導管１４１の端部に接続され、便座２１０下に配置されている。可動部１４２２は、不動部１４２１中に設置され、軸方向に移動可能である。ノズル１４２３は、複数のホールを有し、不動部１４２１の端部に接続されている。可動部１４２２に周設されたばね１４２４は、弾力的に突出されたときに、可動部１４２２に復元力を提供する。第１の制御バルブ１２０が操作される前の可動部１４２２は、不動部１４２１中に収納され、噴射チューブ１４２に排泄物が付着することを防ぐ。
【００１８】
図２を参照する。図２に示すように、設定温度は、本体１１０の温度表示リング１２３により設定することができる。つまみ１２１を時計回り又は逆時計回りに回転させてバルブコア１２２のバルブロッドを動かすと、水が出力され、第１の空間１１１中へ冷水及び熱水を送って混合し、所望の温度の水を提供することができる。混合水は、導水路１１３を介して第２の空間１１２へ送られ、第２の出水孔１１７を介して短軸洗浄ユニット１４０へ送られる。図４を参照する。図４に示すように、短軸洗浄ユニット１４０の可動部１４２２は、水圧により外側へ突出され、混合水を噴出させて人体洗浄を行う。つまみ１２１を回転させてバルブコア１２２の開口を大きくすると、水圧が増大されて可動部１４２２の弾力的長さが増大する（点線で示す）。図５を参照する。図５に示すように、第２の制御バルブ１３０の引っ張りブロック１３２が上方に引き上げられると、シャフト１３１が上方に移動して第１の出水孔１１６が開かれ（このとき第２の出水孔１１７は下ブロッキングリング１３４によりブロックされた状態である。）、長軸洗浄ユニット１４０へ混合水を送る。このように、混合水を長軸洗浄ユニット１４０により噴出させた場合、生理中や妊娠期間中の女性が使用するのに便利である。
【００１９】
第１の制御バルブ１２０のバルブコア１２２を、閉じた状態でつまみ１２１を回転させて調整すると、第２の制御バルブ１３０のシャフト１３１は、弾性部材１３５の回復力により、上ブロッキングリング１３３に当接されて下方に押される。そのため、シャフト１３１が図２に示す位置に戻る。その上、洗浄ユニット１４０の可動部１４２２は、ばね１４２４の復元力により不動部１４２１中に収納される。
【００２０】
図６を参照する。図６は、本考案の実施の形態２に係る洗浄装置を示す断面図である。実施の形態２の洗浄装置は、本体１５０、温度制御バルブ１６０、切換バルブ１７０及び２つの洗浄ユニットを含む。温度制御バルブ１６０は、本体１５０の第１の空間１５１に固着され、切換バルブ１７０は、本体１５０の第２の空間１５２中に固着されている。洗浄ユニットの各々は、本体１５０の第１の出水孔１５５及び第２の出水孔１５６に接続されている。
【００２１】
本体１５０は、第１の空間１５１、第２の空間１５２、冷水孔１５３、熱水孔１５４、第１の出水孔１５５及び第２の出水孔１５６を備えている。第１の空間１５１は、第２の空間１５２に連通されている。冷水孔１５３及び熱水孔１５４は、第１の空間１５１及び第１の出水孔１５５に連通され、第２の出水孔１５６は、第２の空間１５２に連通されている。
【００２２】
温度制御バルブ１６０は、実施の形態１の第２の制御バルブ１３０よりも温度制御機能が精確であるが、止水機能は備えていない。温度制御バルブ１６０は、中空円筒状部材１６１、冷水入口１６２、熱水入口１６３、出水口１６４、調整ロッド１６５、調節つまみ１６６、バイアスばね１６７、バルブ１６８及び調整部材１６９を備えている。冷水入口１６２、熱水入口１６３及び出水口１６４は、中空円筒状部材１６１の壁により形成され、第１の空間１５１まで延伸されている。調整ロッド１６５は、中空円筒状部材１６１中へ枢着式に形成されている。調節つまみ１６６は、調整ロッド１６５の端部に接続され、本体１５０の外に設けられている。バイアスばね１６７は、調整ロッド１６５に周設されている。バルブ１６８は、冷水入口１６２及び熱水入口１６３に対応し、調整ロッド１６５のもう一つの端部に押しつけられている。調整部材１６９は、中空円筒状部材１６１の下段に位置し、バルブ１６８に当接された端部を有する。調整部材１６９は、形状記憶合金からなり、出水温度と設定水温との間の温度差に応じて変形する。形状記憶の機能は、設定水温の変化を低減することができる。冷水入口１６２は冷水孔１５３に対応し、熱水入口１６３は熱水孔１５４に対応した位置に設けられ、冷水孔１５３及び熱水孔１５４のそれぞれに設置された濾過ユニットにより、原水の不純物を濾過する。
【００２３】
切換バルブ１７０は、バルブコア１７１及びキャップ１７２を備える。このキャップ１７２を回転させてバルブコア１７１の出水位置を変えると、フローを制御してフロー方向を変えることができる。つまり、第１の出水孔１５５から出力されるモード、第２の出水孔１５６から出力されるモード又はそれら両方を閉じるモードの三種類の出水操作モードがある。
【００２４】
冷水入口１６２及び熱水入口１６３の開口率を調整することにより、調節つまみ１６６を回転させて調整ロッド１６５を駆動し、冷水入口１６２及び熱水入口１６３に対応したバルブ１６８を動かして水温を調整する。その上、開口及びフロー方向を切換バルブ１７０により調整し、長軸スプレーユニット又は短軸スプレーユニットを選択的に駆動し、混合水を噴出させる。
【００２５】
出水温度が設定温度よりも高くなり、この過熱された水によりユーザが火傷することを防ぐために、温度制御バルブ１６０の調整部材１６９を熱で膨張させて、バイアスばね１６７の弾力に対する力を発生させてバルブ１６８を上方に移動させる。これにより、熱水入口１６３が小さくなって冷水入口１６２が大きくなるため、中空円筒状部材１６１中に保存されている混合水の温度が下がる。反対に、出水温度が設定温度よりも低い場合、バルブ１６８が下方に移動し、熱水入口１６３が大きくなって冷水入口１６２が小さくなるため、混合水の水温が上がる。そのため、出水温度が設定水温に近くなると、調整部材１６９の変形量は、出水温度が設定温度に等しくなるまで徐々に低減される。
【００２６】
図７を参照する。図７に示すように、本考案の実施の形態３において、洗浄装置１００は、定位シート１９０を介して便座装置２００に固着されている。定位シート１９０は、少なくとも１つの溝１９１により便座２１０に固着され、洗浄ユニット１４０の噴射チューブ１４２は、定位シート１９０の下段に固着されているため、定位シート１９０は、便座装置２００と便座２１０との間に配置された状態となる。
【００２７】
図８及び図９を参照する。図８及び図９は、実施の形態４に係る単一のスプレーチューブ構造を示す。洗浄装置３００は、本体３１０、制御バルブ３２０及び洗浄ユニット３３０を含む。
【００２８】
本体３１０は、冷水孔３１１、熱水孔３１２及び出水孔３１３を備え、冷水孔３１１及び熱水孔３１２の各々は、管と接続されている。
【００２９】
制御バルブ３２０は、バルブコア３２１、シャフト３２２、分水板３２３、導水孔３２４及び導水孔３２５を備えている。バルブコア３２１は、本体３１０に固着され、実施の形態１のバルブコア１２２に似ている。分水板３２３は、シャフト３２２の下段に接続されている。導水孔３２４は、冷水孔３１１及び熱水孔３１２に対応し、導水孔３２５は出水孔３１３に対応した位置に配置され、冷水孔３１１と熱水孔３１２との間の開口及びフローを制御する。
【００３０】
洗浄ユニット３３０は、出水孔３１３に接続された導管３３１と、導管３３１に接続された噴射チューブ３３２とを含み、便座装置まで延伸されている。噴射チューブ３３２は、実施の形態１の洗浄チューブと同じであるため、ここでは詳しく述べない。
【００３１】
バルブコア３２１のシャフト３２２を時計回り又は逆時計回りに回転して分水板３２３を回転させると、導水孔３２４、導水孔３２５、冷水孔３１１、熱水孔３１２、出水孔３１３間の対応位置を変えることができる。噴射チューブ３３２からの出水は、熱水孔３１２の重複した開口が冷水孔３１１よりも大きいとき、水温が高くなる。反対に、噴射チューブ３３２からの出水は、冷水孔３１１の重複した開口が熱水孔３１２よりも大きいとき、水温が低くなる。その上、出水孔３１３の開口によりフローを制御し、噴射チューブ３３２の突出長さをフローにより制御することができる。
【００３２】
当該分野の技術を熟知するものが理解できるように、本考案の好適な実施の形態を前述の通り開示したが、これらは決して本考案を限定するものではない。本考案の主旨と範囲を脱しない範囲内で各種の変更や修正を加えることができる。従って、本考案の実用新案登録請求の範囲は、このような変更や修正を含めて広く解釈されるべきである。
【図面の簡単な説明】
【００３３】
【図１】本考案の実施の形態１に係る洗浄装置の使用状態を示す斜視図である。
【図２】本考案の実施の形態１に係る洗浄装置を示す断面図である。
【図３】本考案の実施の形態１に係る洗浄ユニットの洗浄チューブを示す部分断面図である。
【図４】本考案の実施の形態１に係る洗浄装置を有する便座装置の使用状態を示す断面図である。
【図５】本考案の実施の形態１に係る本体の第２の制御バルブを示す部分断面図である。
【図６】本考案の実施の形態２に係る洗浄装置を示す部分断面図である。
【図７】本考案の実施の形態３に係る洗浄装置を示す平面図である。
【図８】本考案の実施の形態４に係る洗浄装置を示す部分断面図である。
【図９】図８の線９−９に沿った断面図である。
【符号の説明】
【００３４】
１００  洗浄装置
１１０  本体
１１１  第１の空間
１１２  第２の空間
１１３  導水路
１１４  冷水孔
１１５  熱水孔
１１６  第１の出水孔
１１７  第２の出水孔
１２０  第１の制御バルブ
１２１  回転つまみ
１２２  セラミック製バルブコア
１２３  温度表示リング
１３０  第２の制御バルブ
１３１  シャフト
１３２  引っ張りブロック
１３３  上ブロッキングリング
１３４  下ブロッキングリング
１３５  弾性部材
１４０  洗浄ユニット
１４１  導管
１４２  噴射チューブ
１４２１  不動部
１４２２  可動部
１４２３  ノズル
１４２４  ばね
１５０  本体
１５１  第１の空間
１５２  第２の空間
１５３  冷水孔
１５４  熱水孔
１５５  第１の出水孔
１５６  第２の出水孔
１６０  温度制御バルブ
１６１  中空円筒状部材
１６２  冷水入口
１６３  熱水入口
１６４  出水口
１６５  調整ロッド
１６６  調節つまみ
１６７  バイアスばね
１６８  バルブ
１６９  調整部材
１７０  切換バルブ
１７１  バルブコア
１７２  キャップ
１８０  濾過部材
１９０  定位シート
１９１  溝
２００  便座装置
２１０  便座
３００  洗浄装置
３１０  本体
３１１  冷水孔
３１２  熱水孔
３１３  出水孔
３２０  制御バルブ
３２１  バルブコア
３２２  シャフト
３２３  分水板
３２４  導水孔
３２５  導水孔
３３０  洗浄ユニット
３３１  導管
３３２  噴射チューブ
【図１】
0003132424.tif 000003
【図２】
0003132424.tif 000004
【図３】
0003132424.tif 000005
【図４】
0003132424.tif 000006
【図５】
0003132424.tif 000007
【図６】
0003132424.tif 000008
【図７】
0003132424.tif 000009
【図８】
0003132424.tif 000010
【図９】
0003132424.tif 000011